(57)【要約】【課題】多くの画像の中から意図する画像を容易に探し出す。【解決手段】複数の画像を第１の条件にしたがって複数のグループに分けるとともに、それぞれのグループを第２の条件にしたがって表示グループとするか非表示グループとするかを決定し、表示グループの画像２０ａ〜２０ｆを表示装置１１に表示するとともに、非表示グループの画像２２ａ、２２ｂを表示せずに非表示グループの画像の存在を表示装置１１に表示する。【選択図】図３
2011135502.tif 000002
【特許請求の範囲】
【請求項１】
複数の画像を第１の条件にしたがって複数のグループに分けるグループ分け手順と、
それぞれの前記グループを第２の条件にしたがって表示グループとするか非表示グループとするかを決定する表示決定手順と、
前記表示グループの画像を表示装置に表示するとともに、前記非表示グループの画像を表示せずに前記非表示グループの画像の存在を前記表示装置に表示する表示手順とをマイクロコンピューターに実行させることを特徴とする画像表示プログラム。
【請求項２】
請求項１に記載の画像表示プログラムにおいて、
前記表示手順では、前記表示グループの画像を撮影日時の順に配列して表示するとともに、前記表示グループの画像の配列中の、前記非表示グループの画像の撮影日時に対応する位置に、前記非表示グループの画像の存在を示すマークを表示することを特徴とする画像表示プログラム。
【請求項３】
請求項２に記載の画像表示プログラムにおいて、
前記表示手順では、操作部材により前記表示装置に表示された前記マークが指定されると、前記マークに対応する前記非表示グループの画像を前記表示装置に表示することを特徴とする画像表示プログラム。
【請求項４】
請求項３に記載の画像表示プログラムにおいて、
前記表示手順では、操作部材により前記マークとは異なる前記マークが指定された場合は、前記表示装置に表示中の前記非表示グループの画像を消去し、新たに指定された前記マークに対応する前記非表示グループの画像を前記表示装置に表示することを特徴とする画像表示プログラム。
【請求項５】
請求項１〜４のいずれか一項に記載の画像表示プログラムにおいて、
前記第１の条件には、撮影日時、撮影場所、撮影イベントが含まれることを特徴とする画像表示プログラム。
【請求項６】
請求項１〜５のいずれか一項に記載の画像表示プログラムにおいて、
前記第２の条件には、前記グループに属する画像の枚数、被写体の種類が含まれることを特徴とする画像表示プログラム。
【請求項７】
画像を記憶する記憶装置と、
画像を表示する表示装置と、
画像表示を操作するための操作部材と、
請求項１〜６のいずれか一項に記載の画像表示プログラムを実行するコンピューターとを備えることを特徴とする画像表示装置。
【請求項８】
請求項７に記載の画像表示装置を備えることを特徴とするデジタルカメラ。
【発明の詳細な説明】
【技術分野】
【０００１】
本発明は画像表示プログラム、画像表示装置およびデジタルカメラに関する。
【背景技術】
【０００２】
記録媒体に記録された画像を再生する際に、多くの画像を撮影日時の間隔に応じて分類し、各グループの代表画像をサムネイル表示するようにした画像表示装置が知られている。
【先行技術文献】
【特許文献】
【０００３】
【特許文献１】特開２００３−２９９０２８号公報
【発明の概要】
【発明が解決しようとする課題】
【０００４】
しかしながら、上述した従来の画像表示装置では、例えば、旅行中に多くの画像を撮影して帰宅後、自宅でペットを撮影し、その後しばらくの間、撮影を行わなかった場合には、ペットの画像が旅行の画像の中に分類されてしまい、探し出すことが困難になるという問題がある。
【課題を解決するための手段】
【０００５】
(１)  請求項１の発明は、複数の画像を第１の条件にしたがって複数のグループに分けるグループ分け手順と、それぞれのグループを第２の条件にしたがって表示グループとするか非表示グループとするかを決定する表示決定手順と、表示グループの画像を表示装置に表示するとともに、非表示グループの画像を表示せずに非表示グループの画像の存在を表示装置に表示する表示手順とをマイクロコンピューターに実行させる画像表示プログラムである。
(２)  請求項２の発明は、請求項１に記載の画像表示プログラムにおいて、表示手順では、表示グループの画像を撮影日時の順に配列して表示するとともに、表示グループの画像の配列中の、非表示グループの画像の撮影日時に対応する位置に、非表示グループの画像の存在を示すマークを表示する。
(３)  請求項３の発明は、請求項２に記載の画像表示プログラムにおいて、表示手順では、操作部材により表示装置に表示されたマークが指定されると、マークに対応する非表示グループの画像を表示装置に表示する。
(４)  請求項４の発明は、請求項３に記載の画像表示プログラムにおいて、表示手順では、操作部材によりマークとは異なるマークが指定された場合は、表示装置に表示中の非表示グループの画像を消去し、新たに指定されたマークに対応する非表示グループの画像を表示装置に表示する。
(５)  請求項５の発明は、請求項１〜４のいずれか一項に記載の画像表示プログラムにおいて、第１の条件には、撮影日時、撮影場所、撮影イベントが含まれる。
(６)  請求項６の発明は、請求項１〜５のいずれか一項に記載の画像表示プログラムにおいて、第２の条件には、グループに属する画像の枚数、被写体の種類が含まれる。
(７)  請求項７の発明は、画像を記憶する記憶装置と、画像を表示する表示装置と、画像表示を操作するための操作部材と、請求項１〜６のいずれか一項に記載の画像表示プログラムを実行するコンピューターとを備える画像表示装置である。
(８)  請求項８の発明は、請求項７に記載の画像表示装置を備えるデジタルカメラである。
【発明の効果】
【０００６】
本発明によれば、多くの画像の中から意図する画像を容易に探し出すことができる。
【図面の簡単な説明】
【０００７】
【図１】一実施の形態のデジタルカメラの構成を示す図
【図２】一実施の形態の画像表示プログラムを示すフローチャート
【図３】画像の表示例を示す図
【図４】グループ表示画像に含まれる画像をサムネイル表示する変形例を示す図
【図５】グループ表示画像と単位画像の選択枠の切り換え操作を示す図
【図６】画像の他の表示例を示す図
【図７】画像の他の表示例を示す図
【発明を実施するための形態】
【０００８】
本願発明の画像表示プログラムおよび画像表示装置を、デジタルカメラに搭載した一実施の形態を説明する。なお、本願発明の画像表示プログラムおよび画像表示装置は、一実施の形態のデジタルカメラに限定されず、一眼レフカメラやビデオカメラなどのあらゆる種類のデジタルカメラに適用できる他、カメラ以外の画像を表示するあらゆる装置に適用することができる。また、本願発明の画像表示プログラムを記録媒体に記録してユーザーに提供したり、ユーザーがインターネット経由でダウンロードし、ユーザーのパーソナルコンピューター上で実行する実施形態とすることもできる。
【０００９】
図１は一実施の形態のデジタルカメラの構成を示す図である。なお、図１では本願発明と直接関係のないカメラの機器、回路および装置の図示と説明を省略する。撮影レンズ１は図示しないフォーカシングレンズ、ズーミングレンズ、絞り、レンズ位置検出器などを備え、撮像素子２の撮像面に被写体像を結像する。撮像素子２はＣＣＤイメージセンサーやＣＭＯＳイメージセンサーなどから構成され、撮影レンズ１により撮像面に結像された被写体像を光電変換してアナログ画像信号を出力する。信号処理回路３は、撮像素子２のアナログ画像信号に対してクランプ処理、ＣＤＳ処理（相関二重サンプリング）、ＡＧＣ処理（自動利得調整）などを行う。Ａ／Ｄ変換器４は、信号処理回路３により処理を施されたアナログ画像信号をデジタル画像信号に変換する。
【００１０】
画像処理回路５は、デジタル画像信号に対してフィルター処理、カラー化処理、色変換処理、輪郭補償、ガンマ補正、ホワイトバランス調整などを施して画像データを生成する。タイミングジェネレーター６は、撮像素子駆動回路７、信号処理回路３、Ａ／Ｄ変換器４および画像処理回路５に対して電荷蓄積、蓄積信号の読み出し、Ａ／Ｄ変換、画像処理などの各種処理のタイミングを制御する。圧縮伸張回路８は、ＪＰＥＧ方式の所定の比率で画像データの圧縮を行うとともに、圧縮された画像データの伸張を行う。バッファーメモリ９は画像データを一時記憶するバッファーである。駆動装置１０は撮影レンズ１のレンズと絞りを駆動する装置である。モニター１１はスルー画像や再生画像の他にメニュー画像などを表示する。
【００１１】
操作装置１２は、モードセレクター、レリーズ半押しおよび全押しスイッチ、メニュースイッチ、コマンドダイヤルスイッチ、方向キースイッチなどの、使用者がカメラを操作するための各種操作部材である。コントローラー１３はＣＰＵ１３ａと制御プログラムや各種設定データを記憶するＲＯＭやＲＡＭなどのメモリ１３ｂを備え、カメラの撮像処理、画像処理、記録処理、焦点検出／調節制御、測光処理、シーケンス制御などを行うとともに、後述する画像表示プログラムを実行して画像の表示処理を行う。スロット１４はメモリカード１５などの着脱可能な各種記録メディアを接続するためのコネクターを備えている。
【００１２】
図２は、コントローラー１３のメモリ１３ｂに記憶されている一実施の形態の画像表示プログラムを示すフローチャートである。コントローラー１３のＣＰＵ１３ａは、操作装置１２のモードセレクターが再生モードに設定されると一実施の形態の画像表示プログラムの実行を開始する。
【００１３】
ステップ１において、メモリカード１５に記録されている画像群を読み込みメモリ１３ｂに記憶する。ステップ２では、画像群を複数のグループに分ける際の条件を設定する。このグループ分け条件としては撮影日時、撮影場所、撮影イベント、撮影場所と日時、撮影イベントと日時などがある。これらのグループ分け条件をメニュー画面としてモニター１１に表示し、使用者が操作装置１２により選択した条件をグループ分け条件に設定する。続くステップ３で、メモリ１３ｂに記憶した画像群をグループ分け条件にしたがってグループ分けする。なお、グループ分け条件はこの一実施の形態の条件に限定されるものではない。
【００１４】
撮影日時によるグループ分けの場合には、各画像のファイルに画像データとともに記憶されている撮影日時データに基づいて、基本的には撮影日によりグループ分けを行う。画像群が所定日数、例えば１５日以上の撮影日に亘って撮影されているような場合には、撮影した週ごとにグループ分けをし直すか、さらには撮影した月ごとにグループ分けを行うように、自動的に撮影日時のグループ分け単位を変更するようにしてもよい。使用者が撮影日時のグループ分け単位を任意に設定できるようにしてもよい。
【００１５】
また、撮影場所によるグループ分けの場合には、各画像のファイルに画像データとともに記憶されている撮影場所のＧＰＳ位置データと、メモリ１３ｂに記憶されている地図データとに基づいて、例えば１ｋｍ四方の範囲ごとにグループ分けを行う。しかし、画像群が広範囲に亘って撮影されているような場合には、撮影した地方（例えば日本では北海道、東北、関東、中部、北陸、・・）や、さらには国（例えば、日本、アメリカ、カナダ、フランス、イギリス、スイス、・・）ごとにグループ分けを行うように、自動的に撮影場所のグループ分け範囲を変更するようにしてもよい。使用者が撮影場所のグループ分け範囲を任意に設定できるようにしてもよい。
【００１６】
さらに、撮影イベントによるグループ分けの場合には、画像に写っているイベントの種類を判別し、イベントの種類ごとにグループ分けを行う。ここで“イベント”とは、この明細書ではデジタルカメラで撮像する各種の催しや行事のことを言い、例えば運動会、誕生会、入学式などがある。また、イベントによっては階層的に展開されるものがあり、例えば運動会のイベントの中に徒競争や玉入れなどの各種イベントが存在する。イベントは、映像に映っている主人公などの主要被写体の動作の認識処理や、主人公などの服装の特徴抽出あるいは認識処理などを行うことによって判別できる。
【００１７】
ステップ４において、グループ画像をモニター１１に表示する表示グループ画像とするか、モニター１１に表示しない非表示グループ画像とするかを決定するための表示条件を設定する。グループ画像の表示条件としては、グループに属する画像の枚数や、画像に写っている被写体の種類を条件とする。例えば、画像の枚数が多いグループや、画像枚数が所定枚数以上のグループ、あるいは特定の人物が写っている画像を含むグループなどがある。これらの表示条件をメニュー画面としてモニター１１に表示し、使用者が操作装置１２により選択した条件を表示条件に設定する。なお、グループ画像の表示条件はこの一実施の形態の条件に限定されるものではない。
【００１８】
ステップ５では、表示条件にしたがってグループ画像の中から表示するグループ画像を選択するとともに、表示グループ画像の中の代表画像を選択する。表示各グループの代表画像は、撮影時刻が１時間おきの画像を所定枚数選択してもよいし、あるいは人物が写っている画像や特定の人物が写っている画像などを選択してもよい。人物が写っている画像の抽出は周知の顔認識手法により行い、特定人物が写っている画像は周知のパターンマッチング手法により行う。続くステップ６で、表示グループに選択されたグループの代表画像をモニター１１にサムネイル表示する。
【００１９】
図３は一実施の形態のデジタルカメラの背面図であり、図３(ａ)は、撮影日ごとにグループ分けしたグループ画像の中から、画像枚数の多い上位６グループの画像を表示グループに選択し、各グループの６枚の代表画像をモニター１１にサムネイル表示した例を示す。図において、６組の表示グループ画像２０ａ〜２０ｆは撮影日が早い表示グループ画像２０ａから順に表示画面の最上段の行から最下段の行まで配列され、各行には各グループの６枚の代表画像が横に撮影時刻の早いものから順に配列される。各表示グループ画像２０ａ〜２０ｆの先頭（左端）の画像には撮影日が画像に重畳して表示される。
【００２０】
ステップ７において、ステップ４〜５で表示条件を満たさないとして選択されなかったグループ画像、すなわち非表示グループ画像が存在することを使用者に報知するために、モニター１１に表示されている表示グループ画像２０ａ〜２０ｆどうしの隙間に所定のマーク、この一実施の形態では図３(ａ)に示すような太線マーク２１ａ〜２１ｄを所定の色（例えば赤色）で表示する。非表示グループ画像が存在することを示すマーク２１ａ〜２１ｄは、それぞれの非表示グループ画像の撮影日に応じた位置に表示される。
【００２１】
例えば図３(ａ)に示す表示例では、マーク２１ａの非表示グループ画像の撮影日は、第１行目の表示グループ画像２０ａの撮影日よりも遅く、第２行目の表示グループ画像２０ｂの撮影日よりも早い。他のマーク２１ｂ〜２１ｄも同様に、それらの撮影日に応じた位置に表示される。図３(ａ)において、第２行目の表示グループ画像２０ｂと第３行目の表示グループ画像２０ｃとの隙間には非表示グループの存在を示すマークが表示されていない。これは、第２行目の表示グループ画像２０ｂの撮影日から第３行目の表示グループ画像２０ｃの撮影日までの間に撮影された非表示グループ画像が存在しないことを意味する。なお、非表示グループ画像が存在することを報知するためのマークは一実施の形態の形状および色に限定されるものではなく、種々の形状および色とすることができる。
【００２２】
図２のステップ８において、表示グループ画像の中のいずれかの画像が選択されたか否かを判別し、選択された場合はステップ９へ進み、そうでなければステップ１０へ進む。使用者が操作装置１２の方向キー１２ａの上下ボタンを操作してモニター画面上のカーソルを表示グループ画像２０ａ〜２０ｆの中のいずれかの代表画像上に設定し、方向キー１２ａを押圧操作すると、ステップ９で、選択された代表画像をモニター画面に拡大表示し、所定時間後にステップ６へ戻り、再び図３(ａ)に示すような表示グループ画像２０ａ〜２０ｆの代表画像表示を行うとともに、非表示グループ画像の存在を示すマーク２１ａ〜２１ｄを表示する。なお、上記では所定時間後にステップ６へ戻るとしたが、操作装置１２（例えば戻りボタン１２ｂ）の操作が行われたらステップ６へ戻り、上記処理を行うようにしてもよい。
【００２３】
表示グループ画像２０ａ〜２０ｆの代表画像をサムネイル表示している状態で、使用者が方向キー１２ａの上下ボタンを操作してモニター画面上のカーソルをいずれかの表示グループ画像２０ａ〜２０ｆ上に設定した後、方向キー１２ａの左右ボタンを操作した場合には、表示グループ画像２０ａ〜２０ｆの代表画像をその表示グループの代表画像以外の画像に入れ替える。つまり、方向キー１２ａの左ボタンが操作された場合は撮影時刻が早い新しい画像を左端に表示し、右ボタンが操作された場合は撮影時刻が遅い新しい画像を右端に表示する。
【００２４】
このとき、使用者が指定した表示グループ画像に含まれる画像が多い場合には、方向キー１２ａの左右ボタンの操作に応じて新しい画像を左端または右端に表示する上記方法では所望の画像を見つけるのに時間がかかる。そこで、図４(ａ)に示すように、使用者が方向キー１２ａの上下ボタン操作により表示グループ画像２０ｃ上に選択枠２０ｇを設定し、方向キー１２ａの中央のＯＫボタン１２ｃを操作したら、図４(ｂ)に示すように、表示グループ画像２０ｃに含まれるすべての画像をモニター１１にサムネイル表示するようにしてもよい。さらに、図４(ｂ)に示すサムネイル表示画像上において、使用者が方向キー１２ａによりいずれかの画像に選択枠２２ｃを設定し、上記ＯＫボタン１２ｃを操作したら、その画像をモニター１１に拡大表示する。
【００２５】
なお、図５(ａ)、(ｂ)に示すように、使用者により操作装置１２のズームボタン(不図示)のＴ（望遠）側が操作されると、選択枠２０ｇを図５(ａ)に示すグループ単位から図５(ｂ)に示す画像単位に切り換え、この状態で操作装置１２のズームボタンのＷ（広角）側が操作されると、選択枠２０ｇを図５(ｂ)に示す画像単位から図５(ａ)に示すグループ単位へ切り換える。選択枠２０ｇは方向キー１２ａの上下左右ボタンの内の操作されたボタンの方向に移動する。なお、使用者が選択枠２０ｇをいずれかの画像に設定してＯＫボタン１２ｃを操作したら、その画像がモニター１１に拡大表示する。
【００２６】
一方、ステップ８で表示グループ画像２０ａ〜２０ｆの中の画像が選択されなかった場合は、ステップ１０で、非表示グループ画像のマーク２１ａ〜２１ｄの内のいずれかが選択されたか否かを判別し、いずれかのマークが選択された場合はステップ１１へ進み、いずれも選択されなかった場合はステップ１６へ進む。使用者が方向キー１２ａを操作して非表示グループ画像のマーク２１ａ〜２１ｄの内のいずれかにカーソルを設定し、方向キー１２ａを押圧操作して選択した場合には、ステップ１１で、選択された非表示グループ画像の代表画像を選択する。代表画像の選択方法は、ステップ５で行った表示グループ画像に対する代表画像の選択方法と同じ方法とする。続くステップ１２で非表示グループ画像の代表画像をモニター画面にサムネイル表示する。
【００２７】
図３(ｂ)は、使用者が指定した非表示グループ画像の代表画像をサムネイル表示した例を示す。ここでは、図３(ａ)に示す第１行目の表示グループ画像２０ａと第２行目の表示グループ画像２０ｂとの間に、２組の非表示グループ画像２２ａ、２２ｂが存在した場合を示し、これらの非表示グループ画像２２ａ、２２ｂを撮影日の順に上下に配列し、各非表示グループの６枚の代表画像を横（行方向）にサムネイル表示した例を示す。このように、非表示グループ画像の存在を示すマーク２１ａ〜２１ｄの下に複数組の非表示グループ画像が存在する場合には、すべて組の非表示グループの代表画像をサムネイル表示する。
【００２８】
なお、非表示グループ画像の表示方法は上記方法に限定されず、例えば、図３(ａ)に示す第１行目の表示グループ画像２０ａの下に２組の非表示グループ画像２２ａ、２２ｂを展開表示し、さらにその下に図３(ａ)に示す第２行目から第４行目の表示グループ画像２０ｂ〜２０ｄを表示する、つまり選択された非表示グループ画像２２ａ、２２ｂを表示グループ画像２０ａと２０ｂの間に展開して表示するようにしてもよい。
【００２９】
非表示グループ画像２２ａ、２２ｂの代表画像をサムネイル表示している状態で、使用者が方向キー１２ａの上下ボタンを操作してモニター画面上のカーソルをいずれかの非表示グループ画像２２ａ、２２ｂ上に設定した後、方向キー１２ａの左右ボタンを操作した場合には、非表示グループ画像２２ａ、２２ｂの代表画像をその非表示グループの代表画像以外の画像に入れ替える。つまり、方向キー１２ａの左ボタンが操作された場合は撮影時刻が早い新しい画像を左端に表示し、右ボタンが操作された場合は撮影時刻が遅い新しい画像を右端に表示する。
【００３０】
上述したように、使用者が指定した非表示グループ画像に含まれる画像が多い場合には、方向キー１２ａの左右ボタンの操作に応じて新しい画像を左端または右端に表示する上記方法では所望の画像を見つけるのに時間がかかるため、使用者が方向キー１２ａの上下ボタン操作により非表示グループ画像上に選択枠２０ｇを設定し、方向キー１２ａの中央のＯＫボタン１２ｃを操作したら、非表示グループ画像に含まれるすべての画像をモニター１１にサムネイル表示してもよい。さらに、サムネイル表示画像上において、使用者が方向キー１２ａによりいずれかの画像に選択枠２０ｇを設定し、ＯＫボタン１２ｃを操作したら、その画像をモニター１１に拡大表示する。
【００３１】
非表示グループ画像２２ａ、２２ｂを表示後のステップ１３において、非表示グループ画像２２ａ、２２ｂの中のいずれかの画像が選択されたか否かを判別し、選択された場合はステップ１４へ進み、そうでなければステップ１５へ進む。使用者が操作装置１２の方向キー１２ａの上下ボタンを操作してモニター画面上のカーソルを非表示グループ画像２２ａ、２２ｂの中のいずれかの画像上に設定し、方向キー１２ａを押圧操作すると、ステップ１４で、選択された画像をモニター画面に拡大表示し、所定時間後にステップ６へ戻り、再び図３(ａ)に示すような表示グループ画像２０ａ〜２０ｆの代表画像表示を行うとともに、非表示グループ画像の存在を示すマーク２１ａ〜２１ｄを表示する。なお、上記では所定時間後にステップ６へ戻るとしたが、操作装置１２（例えば戻りボタン１２ｂ）の操作が行われたらステップ６へ戻り、上記処理を行うようにしてもよい。また、ステップ６へ戻らずにステップ１２へ戻り、図３(ｂ)に示すような使用者が指定した非表示グループ画像の代表画像をサムネイル表示するようにしてもよい。
【００３２】
一方、非表示グループ画像２２ａ、２２ｂを表示後に非表示グループのいずれかの画像を選択する操作が行われなかった場合には、ステップ１５で戻りボタン１２ｂが操作されたか否かを確認する。表示中の非表示グループ画像２２ａ、２２ｂの中に意図する画像が存在しない場合には、戻りボタン１２ｂを操作して非表示グループ画像２２ａ、２２ｂを表示する前の状態、つまり図３(ａ)に示す表示グループ画像２０ａ〜２０ｆの代表画像表示と非表示グループ画像のマーク表示に戻ることができる。使用者が戻りボタン１２ｂを操作した場合はステップ６へ戻り、図３(ａ)に示す表示グループ画像２０ａ〜２０ｆの代表画像表示を行うとともに、非表示グループ画像のマーク２１ａ〜２１ｄを表示する。
【００３３】
ステップ１５で戻りボタン１２ｂの操作がない場合、あるいはステップ８で表示グループ画像の選択操作がなく、かつステップ１０で非表示グループマークの選択操作がない場合はステップ１６へ進み、再生モードの終了操作が行われたか、あるいはカメラの電源スイッチのオフ操作がなされたかを確認し、これらの画像表示を終了させる操作がなされた場合は表示処理を終了し、そのような操作がなければステップ８へ戻り上述した処理を繰り返す。
【００３４】
上述した図３に示す画像表示例では、撮影日ごとにグループ分けしたグループ画像の中から、画像枚数の多い上位６グループの画像を表示グループに選択し、各グループの６枚の代表画像をサムネイル表示した例を示したが、画像の表示方法は上記表示例に限定されない。例えば、図６に示すように、撮影日ごとにグループ分けしたグループ画像の内の画像枚数が所定枚数以上のグループの画像を表示グループ画像に選択し、各グループの３枚の代表画像をサムネイル表示するとともに、表示グループ画像の間に非表示グループ画像の存在を示すマークを表示するようにしてもよい。つまり、この表示方法では画像枚数の少ないグループの画像を表示しない。表示または非表示を決める上記所定枚数は予め設定されメモリ１３ｂに記憶されているが、使用者により任意の枚数に変更することができる。
【００３５】
図６において、第１行目の表示グループ画像２３ａは撮影日が最も早い時期の画像グループであり、第２行目の表示グループ画像２３ｂ、第３行目の表示グループ画像２３ｃの順に撮影日が遅くなる。第１行目の表示グループ画像２３ａと第２行目の表示グループ画像２３ｂの間に非表示グループ画像が存在する場合には、マーク２４を表示する。なお、非表示グループ画像のマーク２４に代えて、図７に示すように、非表示グループの代表画像の上下方向を圧縮した画像２５を表示し、非表示グループ画像の存在を示すようにしてもよい。
【００３６】
なお、本願発明の画像表示プログラムを記録媒体に記録してユーザーに提供したり、ユーザーがインターネット経由でダウンロードし、ユーザーのパーソナルコンピューター上で実行する場合には、パソコンの記憶装置に記憶されている画像を表示対象とする他、インターネット経由で取得した画像を表示対象とすることができる。
【００３７】
なお、上述した実施の形態とそれらの変形例において、実施の形態と変形例とのあらゆる組み合わせが可能である。
【００３８】
上述した実施の形態とその変形例によれば以下のような作用効果を奏することができる。まず、複数の画像をグループ分け条件にしたがって複数のグループに分けるとともに、それぞれのグループを表示／非表示条件にしたがって表示グループとするか非表示グループとするかを決定し、表示グループの画像をモニターに表示するとともに、非表示グループの画像を表示せずに非表示グループの画像の存在をモニターに表示するようにしたので、画像枚数が少ないグループの画像が画像枚数の多いグループの画像の中に分類されてしまうようなことがなく、多くの画像の中から再生したい画像を容易に探し出すことができる。
【００３９】
次に、一実施の形態とその変形例によれば、表示グループの画像を撮影日時の順に配列して表示するとともに、表示グループの画像の配列中の、非表示グループの画像の撮影日時に対応する位置に、非表示グループの画像の存在を示すマークを表示するようにしたので、表示グループの画像の撮影日時と非表示グループの画像の撮影日時との前後関係に基づいて、意図する非表示グループの画像が表示グループの画像の配列中のどの辺りに存在するかを容易に見当を付けることができ、再生したい画像を容易に探し出すことができる。
【００４０】
また、一実施の形態とその変形例によれば、操作装置によりモニターに表示されたマークが指定されると、マークに対応する非表示グループの画像をモニターに表示するようにしたので、意図する画像が表示グループにない場合に、意図する画像を含む可能性が高い非表示グループの画像を容易に早くモニターに表示させることができ、その中から意図する画像を容易に探し出すことができる。
【００４１】
さらに、一実施の形態とその変形例によれば、操作装置により最初に指定されたマークとは異なるマークが指定された場合は、モニターに表示中の非表示グループの画像を消去し、新たに指定されたマークに対応する非表示グループの画像をモニターに表示するようにしたので、非表示グループの画像を容易に切り換えることができ、意図する画像を容易に探し出すことができる。
【符号の説明】
【００４２】
１１；モニター、１２；操作装置、１３；コントローラー、１３ａ；ＣＰＵ、１３ｂ；メモリ
【図１】
2011135502.tif 000003
【図２】
2011135502.tif 000004
【図３】
2011135502.tif 000005
【図４】
2011135502.tif 000006
【図５】
2011135502.tif 000007
【図６】
2011135502.tif 000008
【図７】
2011135502.tif 000009